(57)【要約】【課題】  人の大腸の中にある宿便、あるいは女性の膣内部を洗浄する 洗浄器に関するもので、特に使用者が場所に拘らず大腸と膣内部兼用に便利で手軽く使用できるポータブル型洗浄器に関する。【解決手段】  水液貯蔵部１の水液２を吸入ホース３とエアーポンプ４及びノズル注入部５を媒介に肛門を経て大腸又は膣内部へ注入させ供給される水液で大腸又は膣内部を洗浄する洗浄器において、前記吸入ホース３は水液供給ボディー６のフランジ７に一体に連結され、前記ノズル注入部５は水液供給ボディー６の締結部８で螺旋式で締結され、該水液供給ボディー６の供給通路９と連通された水液出入通路１０の下部の方にはエアーポンプ４が付いている。【選択図】      図２
0003103970.tif 000002
【実用新案登録請求の範囲】
【請求項１】
水液を、吸入ホースとエアーポンプを経て、ノズル注入部から吐出させる洗浄器において、
前記吸入ホースは、内部に通路を備えた水液供給ボディーの後部開口に連結され、前記ノズル注入部は、水液供給ボディーの前部開口に螺旋式に締結され、該水液供給ボディーには、前記内部の通路と連通するようにエアーポンプが連設されていることを特徴としているポータブル型洗浄器。
【請求項２】
前記ノズル注入部の先端には数個の穴が放射状に設けられていることを特徴としている請求項１に記載のポータブル型洗浄器。
【考案の詳細な説明】
【技術分野】
【０００１】
本考案は人の大腸の中にある宿便、あるいは女性の膣内部を洗浄する洗浄器に関するもので、特に使用者が場所に拘らず便利で手軽く使用できるポータブル型洗浄器に関するものである。
【背景技術】
【０００２】
周知の通り、人の大腸は水分を調節し電解質を維持し、細菌作業により食べ物を便にする機能を有してあるが、該機能が充分発揮されない場合には、体内に有害成分と毒素が蓄積されて腸が麻痺し、老血管の破裂、又は膨張により、大腸ガン、大腸炎、過敏性症候群、大腸潰瘍、痔のような腸疾患をもたらすことは勿論、その他にも、便秘、下痢、消化不良、細便、下腹部ガス内蔵等の各種の病気の原因となったり、細菌の温床を形成する原因となっているのが実情である。
従って、腸内に老廃物が停滞されると、腸が麻痺され、腸機能の障碍、皮膚老化などの各種の病気のもとになるため、このような原因を根本的に解決するために腸洗浄器を用いた洗浄で腸内の老廃物を除去し各種の病気を予防することが行われており、該腸洗浄器は腸内の宿便による毒素を除去し各種病気の予防と治療に優れた効果を表している。
従来の腸洗浄器は機械式と家庭用腸洗浄器に大きく区分されるが、機械式腸洗浄器はそのサイズが大きく、値段が高いため、主に病院又は療養院などの公共機関に設置されるのに対し、後者の家庭用腸洗浄器は小型病院や家庭で普及している。
【０００３】
後述するように、本考案は後者の家庭で患者又は使用者が便利で手軽く使用できる家庭用腸洗浄器に関するが、この家庭用腸洗浄器の従来技術として、韓国実用新案登録第２１８，９８０号にて提案された大腸洗浄器がある。この大腸洗浄器は、水液貯蔵部を備え、数個のバルブとエアーポンプ及びその他各種付帯部品を備えた構造からなっている壁掛け型大腸洗浄器であるが、その構造と設備が複雑で、患者や使用者が注入器を用いて肛門を通し大腸内に水液を供給する際にその使用方法と設置などが煩わしいという欠点を有している。
上記従来技術の問題点を解決するために本出願人は、韓国実用新案登録出願第２００３−０２６９８３号により、より簡単に使用でき、設備も簡易な大腸洗浄器を提案した。韓国実用新案登録出願第２００３−０２６９８３号の大腸洗浄器は、水液吸入ホースとノズル注入部を繋げる曲面連結パイプにエアーポンプがついている構造として簡単に使用できる長所があるものの、使用者がエアーポンプを握って使用するには多少不便なところがあった。
一方、女性の膣内部を洗浄する洗浄器が従来から種々提案されているが、構造が複雑で、また外観が悪く、取扱いに不便な形状で使用時に使用負担感があるため広く活用できない実情であった。
【特許文献１】韓国実用新案登録第２１８，９８０号
【特許文献２】韓国実用新案登録出願第２００３−０２６９８３号
【考案の開示】
【考案が解決しようとする課題】
【０００４】
本考案は上記従来技術の問題点を解決するため案出されたものであり、患者または使用者が大腸又は膣内部を洗浄する際に、より簡便で容易に兼用で使用でき、外観も洗練され使用負担感のない改善されたポータブル型洗浄器を提供することにその目的がある。
【課題を解決するための手段】
【０００５】
前記のような目的を達成するため、本考案は水液貯蔵部の水液を吸入ホースとエアーポンプ及びノズル注入部を媒介に肛門を経て大腸内部、又は直接膣内部に注入させ、供給される水液で大腸又は膣内部を洗浄する洗浄器において、前記吸入ホースは水液供給ボディーのフランジに一体に連結され、前記ノズル注入部は水液供給部の締結部で螺旋式で締結され、該水液供給ボディーの供給通路と連通された水液出入通路の下部の方にはエアーポンプが付いていることを特徴とする。
即ち、請求項１の発明は、水液を、吸入ホースとエアーポンプを経て、ノズル注入部から吐出させる洗浄器において、前記吸入ホースは、水液供給ボディーの後部開口に連結され、前記ノズル注入部は、水液供給ボディーの前部開口に螺旋式に締結され、該水液供給ボディー内の通路にはエアーポンプが連設されていることを特徴としている。
請求項２の発明は、請求項１において、前記ノズル注入部の先端には数個の穴が放射状に設けられていることを特徴としている。
【考案の効果】
【０００６】
本考案によるポータブル型洗浄器は従来技術のみならず本出願人の提案した上述した従来技術を改良進歩させたものとして、使用がより便利で、外観美の洗練化と使用者の使用負担感を解消でき、且つ場所に拘らず携帯用として使用でき、大腸又は膣内部を選択的に洗浄できる兼用構造を備えている。
【考案を実施するための最良の形態】
【０００７】
以下、本考案を添付の図面により詳細に説明する。
図１は、本考案によるポータブル型洗浄器の外観斜視図であり、図２は本考案の作動状態を表した断面図である。
本考案は、図４に示した水液貯蔵部１内の水液２を、吸入ホース３とエアーポンプ４及びノズル注入部５を媒介として、人体の肛門を経て大腸内に注入させ、供給される水液で大腸を洗浄する洗浄器に関するものである。吸入ホース３は、水液供給ボディー６のフランジ７（後部開口）に一体、又は着脱自在に連結され、ノズル注入部５は水液供給ボディー６の締結部８（前部開口）で螺旋式（ネジ式）に締結され、水液供給ボディー６内の供給通路９と連通された水液出入通路１０の下部の方にはエアーポンプ４が付いている。つまり、水液供給ボディー６は、その内部を前後に貫通する通路Ａを備え、この通路Ａは、供給通路と９と水液出入通路１０を連通させた構成を備え、さらにこの通路Ａの途中には下方へ分岐した通路Ｂがあり、分岐通路Ｂの先端にはエアーポンプ４が連通接続されている。
即ち、本考案は水液を供給する水液供給ボディー６にエアーポンプ４が猟銃の取っ手形で付いていて使用者がより便利にグリップし操作できるので、使用が便利で使用時より洗練な外観で使用負担感を減少させることができる。ボディー６は、金属、或いは樹脂などの剛性を有した材料にて構成する一方で、エアーポンプ４は掌により把持できるサイズであると共に、通常の握力によって圧縮させることができるようにゴム等によって構成されている。
また、ノズル注入部５は水液供給ボディー６の締結部８で螺旋式で締結されるので、肛門に挿入するノズル注入部５が汚染されたり、汚れた場合にこれを分離除去し新しいノズル注入部に手軽く取り替えできるようになっているため、効果的な使用を追求できる。なお、ボディー６に対するノズル注入部５の着脱構造としては、圧入、その他、種々選択可能である。
【０００８】
一方、図３（ａ）、（ｂ）は女性の膣内部を洗浄する際に使用するのに適したノズル注入部５の他の実施例を図示したもので、（ａ）は（ｂ）の立て断面図である。水供給ボディー６の構成は、上記実施形態と同様であるが、ノズル注入部５のみを着脱自在に交換できるようにしている。即ち、本発明では、女性の膣内部を洗浄する際には、ノズル注入部のみ取り替えれば済むように構成されている。ノズル注入部５は、締結部８を媒介に水液供給ボディー６に対して前記の実施例と同様にネジ式その他の着脱構造によって取付られるが、水液を供給する穴５ａがこのノズル注入部５の先端に複数個（周方向に所定のピッチにて）形成されていて、女性の膣内部を洗浄する際に供給される水液が効果的に噴射されるようになっている。また、穴５ａから吐出された水液が先方へガイドされやすいようにノズル外周面には溝５ｂが形成されている。
次いでに本考案に係る洗浄器の使用方法を説明する。
本考案は円滑な宿便排出、又は膣内部の洗浄を実現するために、ノズル注入部５を肛門又は膣内部に差込み、水液貯蔵部１の水液を供給するようになっている。使用に当たっては、先ず図４のように吸入ホース３を水液貯蔵部１内の水液２に入れた状態で使用者が水液供給ボディー６のエアーポンプ４を手で圧縮、開放操作すると、水液２は図２中に矢印で示すように供給通路９、通路Ｂを経て一旦エアーポンプ４内に流入され、続いて使用者がエアーポンプ４を圧縮することにより、エアーポンプ４内から通路Ｂを経てノズル注入部５側に排出され、ノズル注入部５の先端の穴から吐出される。この際に、第１、２チェックバルブ（逆止弁）１１、１２によって、通路内に供給された水液は逆流されずノズル注入部５の方に排出され、肛門を通し大腸又は直接膣内部に供給され大腸又は膣内部を洗浄するようになっている。また、肛門内の水液等がノズル内に逆流することもない。
【図面の簡単な説明】
【０００９】
【図１】本考案によるポータブル型洗浄器の外部斜視図である。
【図２】図１の作動状態断面図である。
【図３】（ａ）、（ｂ）は本考案によるノズル注入部の他の実施例を表した断面図、及び外観図である。
【図４】本考案の利用状態を表した概略構成図である。
【符号の説明】
【００１０】
１：水液貯蔵部、２：水液、３：吸入ホース、４：エアーポンプ、５：ノズル注入部、６：水液供給ボディー、７：フランジ、８：締結部、９：供給通路、１０：水液出入通路、１１、１２：チェックバルブ。
【図１】
0003103970.tif 000003
【図２】
0003103970.tif 000004
【図３】
0003103970.tif 000005
【図４】
0003103970.tif 000006